(57)【要約】【課題】複数個の加熱コイルに対して、加熱コイルの個数より少ない個数のインバータ部を有する誘導加熱装置を提供すること。【解決手段】１個のインバータ部１４に接続された第１の加熱コイル１９および第２の加熱コイル２０、第３の加熱コイル２１に供給される高周波電流を制御手段１５により制御することにより、複数個の加熱コイルに同時に高周波電流を供給する誘導加熱装置を提供することができる。【選択図】図１
2010251093.tif 000002
【特許請求の範囲】
【請求項１】
商用電源と、前記商用電源に接続された交流電圧を整流する整流手段と、前記整流手段の高電位側に一端を接続された第１の平滑コンデンサと、前記第１の平滑コンデンサの他端に一端を接続した第２の平滑コンデンサと、前記第１の平滑コンデンサの高電位端子に一端を接続された第１のスイッチング素子と、前記第１のスイッチング素子の他端に直列接続された第２のスイッチング素子と、前記第１のスイッチング素子の高電位端子に一端を接続された第３のスイッチング素子と、前記第３のスイッチング素子の他端に直列接続された第４のスイッチング素子と、前記第３のスイッチング素子の高電位端子に一端を接続された第５のスイッチング素子と、前記第５のスイッチング素子に直列接続された第６のスイッチング素子と、前記第２のスイッチング素子の高電位端子に一端を接続された第１の共振コンデンサと、前記第１の共振コンデンサの他端に直列接続された第１の加熱コイルと、前記第４のスイッチング素子の高電位端子に一端を接続された第２の共振コンデンサと、前記第２の共振コンデンサの他端に直列接続された第２の加熱コイルと、前記第６のスイッチング素子の高電位端子に一端を接続された第３の共振コンデンサと、前記第３の共振コンデンサの他端に直列接続された第３の加熱コイルと、前記第１の加熱コイルおよび前記第２の加熱コイル、前記第３の加熱コイルは互いに共有された他端を有し、３個の加熱コイルの中心点は前記共有された他端を中心とした同一の円周上に配置される構成を有し、前記第１の加熱コイルおよび前記第２の加熱コイル、前記第３の加熱コイルのそれぞれの中心点に配置された被加熱物検知センサと、前記第１のスイッチング素子および前記第２のスイッチング素子から構成される第１のスイッチング素子群と、前記第３のスイッチング素子および前記第４のスイッチング素子から構成される第２のスイッチング素子群と、前記第５のスイッチング素子および前記第６のスイッチング素子から構成される第３のスイッチング素子群と、前記第１のスイッチング素子群および前記第２のスイッチング素子群、前記第３のスイッチング素子群から構成されるインバータ部と、前記被加熱物検知センサから発信される信号を受信し、前記第１のスイッチング素子および前記第２のスイッチング素子、前記第３のスイッチング素子、前記第４のスイッチング素子、前記第５のスイッチング素子、前記第６のスイッチング素子のオン／オフを制御する制御手段を備え、前記制御手段により特定の個数の加熱コイルに同時に高周波電流を供給し、あらゆる大きさの被加熱物を加熱する誘導加熱装置。
【請求項２】
制御手段は、第１のスイッチング素子群および第２のスイッチング素子群、第３のスイッチング素子群をそれぞれ位相差１２０度ごとに駆動させ、第１の加熱コイルおよび第２の加熱コイル、第３の加熱コイルに供給される高周波電流がそれぞれ１２０度の位相差を有することにより、加熱コイルから被加熱物に供給される高周波磁束方向を回転させる請求項１に記載の誘導加熱装置。
【請求項３】
制御手段は、第１の加熱コイルおよび第２の加熱コイル、第３の加熱コイルのそれぞれの中心点に配置された被加熱物検知センサにより、加熱コイル上面に置かれる被加熱体物の大きさを判定する請求項１または請求項２に記載の誘導加熱装置。
【請求項４】
制御手段は、被加熱物検知センサが判定する被加熱物の大きさに応じて、加熱領域を複数の発光体により表示させる請求項１または請求項２に記載の誘導加熱装置。
【請求項５】
制御手段は、被加熱物を検知した被加熱物検知センサが配置される加熱コイルのみに高周波電流を供給するべく第１のスイッチング素子および第２のスイッチング素子、第３のスイッチング素子、第４のスイッチング素子、第５のスイッチング素子、第６のスイッチング素子のオン／オフを制御する請求項１または請求項２に記載の誘導加熱装置。
【請求項６】
制御手段は、第１のスイッチング素子および第２のスイッチング素子、第３のスイッチン
グ素子、第４のスイッチング素子、第５のスイッチング素子、第６のスイッチング素子のオン／オフを一定周波数において制御することにより、互いに隣接する加熱コイル間の干渉音を防止した請求項１または請求項２に記載の誘導加熱装置。
【発明の詳細な説明】
【技術分野】
【０００１】
本発明は、一般家庭やオフィス、レストラン、工場などで使用される誘導加熱装置に関するものであり、さらに詳しくは複数個の加熱コイルに供給される高周波電流を制御することにより、あらゆる大きさ被加熱物を加熱する誘導加熱装置に関するものである。
【背景技術】
【０００２】
従来、このような誘導加熱装置は、例えば、天板上に設定された調理具載置範囲下方に誘導加熱コイルが配設され、この誘導加熱コイルによって調理具が加熱されるＩＨコンロ装置であって、調理具載置範囲内の調理具の有無を検知する調理具検知機能を備え、調理具が載置されている場合に誘導加熱コイルを作動させるインバータ部を有するものにおいて、上記調理具載置範囲より小さい複数個の誘導加熱コイルを天板に対して平行に並設し、各誘導加熱コイルに各々インバータ部を接続している（例えば、特許文献１参照）。
【０００３】
図５は、特許文献１に記載された従来のＩＨコンロ装置の誘導加熱コイルの配設状態を示すものである。
【０００４】
図５に示すように、ＩＨ加熱部３２のほぼ全域をカバーするように、小径の誘導加熱コイル３４を配設している。誘導加熱コイル４の直径を適宜変更して、配設する誘導加熱コイル３４の個数を増減することができる。
【０００５】
これらの誘導加熱コイル３４はすべて同一の形状であり、各誘導加熱コイル３４に各々インバータ部３５を接続した。これらのインバータ部３５は全て互いに同じものであり、調理具の有無を判別する調理具検知機能が備わっている。従って、小径の調理具５１を天板上に載置すると、調理具５１が覆う中央の４個の誘導加熱コイル３４は作動して磁束を発生させるが、調理具５１から外れた８個の誘導加熱コイル３４には通電されず、従って磁束は発生されない。
【０００６】
このため、中央の４個の誘導加熱コイル３４が発する磁束は調理具２１内へ流れて漏洩することがなく、また、外れた８個の誘導加熱コイル３４は磁束を発生させないので、結果として、磁束を漏洩させることなく、かつ中央の４個の誘導加熱コイル３４を効率よく作動させることができる構成としている。
【先行技術文献】
【特許文献】
【０００７】
【特許文献１】特開２００７−２８７５９０号公報
【発明の概要】
【発明が解決しようとする課題】
【０００８】
しかしながら、前記従来の構成では、複数個の加熱コイルに対して、それぞれインバータ部が接続されるため、例えば、３個の加熱コイルを制御するには、３個のインバータ部が必要になるという課題を有していた。
【０００９】
本発明は、前記従来の課題を解決するもので、複数個の加熱コイルを加熱コイルの個数より少ない個数のインバータを制御することにより、複数個の加熱コイルに同時に高周波電流を供給する誘導加熱装置を提供することを目的としている。
【課題を解決するための手段】
【００１０】
前記従来の課題を解決するために、本発明の誘導加熱装置は、商用電源と、前記商用電源に接続された交流電圧を整流する整流手段と、前記整流手段の高電位側に一端を接続された第１の平滑コンデンサと、前記第１の平滑コンデンサの他端に一端を接続した第２の平滑コンデンサと、前記第１の平滑コンデンサの高電位端子に一端を接続された第１のスイッチング素子と、前記第１のスイッチング素子の他端に直列接続された第２のスイッチング素子と、前記第１のスイッチング素子の高電位端子に一端を接続された第３のスイッチング素子と、前記第３のスイッチング素子の他端に直列接続された第４のスイッチング素子と、前記第３のスイッチング素子の高電位端子に一端を接続された第５のスイッチング素子と、前記第５のスイッチング素子に直列接続された第６のスイッチング素子と、前記第２のスイッチング素子の高電位端子に一端を接続された第１の共振コンデンサと、前記第１の共振コンデンサの他端に直列接続された第１の加熱コイルと、前記第４のスイッチング素子の高電位端子に一端を接続された第２の共振コンデンサと、前記第２の共振コンデンサの他端に直列接続された第２の加熱コイルと、前記第６のスイッチング素子の高電位端子に一端を接続された第３の共振コンデンサと、前記第３の共振コンデンサの他端に直列接続された第３の加熱コイルと、前記第１の加熱コイルおよび前記第２の加熱コイル、前記第３の加熱コイルは互いに共有された他端を有し、３個の加熱コイルの中心点は前記共有された他端を中心とした同一の円周上に配置される構成を有し、前記第１の加熱コイルおよび前記第２の加熱コイル、前記第３の加熱コイルのそれぞれの中心点に配置された被加熱物検知センサと、前記第１のスイッチング素子および前記第２のスイッチング素子から構成される第１のスイッチング素子群と、前記第３のスイッチング素子および前記第４のスイッチング素子から構成される第２のスイッチング素子群と、前記第５のスイッチング素子および前記第６のスイッチング素子から構成される第３のスイッチング素子群と、前記第１のスイッチング素子群および前記第２のスイッチング素子群、前記第３のスイッチング素子群から構成されるインバータ部と、前記被加熱物検知センサから発信される信号を受信し、前記第１のスイッチング素子および前記第２のスイッチング素子、前記第３のスイッチング素子、前記第４のスイッチング素子、前記第５のスイッチング素子、前記第６のスイッチング素子のオン／オフを制御する制御手段を備え、前記制御手段により特定の個数の加熱コイルに同時に高周波電流を供給し、あらゆる大きさの被加熱物を加熱するとしたものである。
【００１１】
これによって、１個のインバータ部に対して、３個の加熱コイルが接続され、被加熱物検知センサからの信号を制御手段が受信し、制御手段が１個のインバータ部のオン／オフを制御することにより、３個または２個もしくは１個の加熱コイルに供給される高周波電流を制御することが可能となる。
【発明の効果】
【００１２】
本発明の誘導加熱装置は、あらゆる大きさの鍋を効率的に加熱することが可能である。また、３個の加熱コイルに高周波電流を供給する場合、被加熱物に供給する高周波磁束方向を回転させることができるため、大きな径を有する被加熱物を均一に加熱することができる。
【図面の簡単な説明】
【００１３】
【図１】本発明の実施の形態１における誘導加熱装置の要部概略回路図
【図２】本発明の実施の形態１における誘導加熱装置の加熱コイル電流の波形図
【図３】本発明の実施の形態１における誘導加熱装置の被加熱物の配置図
【図４】本発明の実施の形態１における誘導加熱装置の発光体の配置図
【図５】従来のＩＨコンロ装置の誘導加熱コイルの配設状態を示す図
【発明を実施するための形態】
【００１４】
第１の発明は、商用電源と、前記商用電源に接続された交流電圧を整流する整流手段と
、前記整流手段の高電位側に一端を接続された第１の平滑コンデンサと、前記第１の平滑コンデンサの他端に一端を接続した第２の平滑コンデンサと、前記第１の平滑コンデンサの高電位端子に一端を接続された第１のスイッチング素子と、前記第１のスイッチング素子の他端に直列接続された第２のスイッチング素子と、前記第１のスイッチング素子の高電位端子に一端を接続された第３のスイッチング素子と、前記第３のスイッチング素子の他端に直列接続された第４のスイッチング素子と、前記第３のスイッチング素子の高電位端子に一端を接続された第５のスイッチング素子と、前記第５のスイッチング素子に直列接続された第６のスイッチング素子と、前記第２のスイッチング素子の高電位端子に一端を接続された第１の共振コンデンサと、前記第１の共振コンデンサの他端に直列接続された第１の加熱コイルと、前記第４のスイッチング素子の高電位端子に一端を接続された第２の共振コンデンサと、前記第２の共振コンデンサの他端に直列接続された第２の加熱コイルと、前記第６のスイッチング素子の高電位端子に一端を接続された第３の共振コンデンサと、前記第３の共振コンデンサの他端に直列接続された第３の加熱コイルと、前記第１の加熱コイルおよび前記第２の加熱コイル、前記第３の加熱コイルは互いに共有された他端を有し、３個の加熱コイルの中心点は前記共有された他端を中心とした同一の円周上に配置される構成を有し、前記第１の加熱コイルおよび前記第２の加熱コイル、前記第３の加熱コイルのそれぞれの中心点に配置された被加熱物検知センサと、前記第１のスイッチング素子および前記第２のスイッチング素子から構成される第１のスイッチング素子群と、前記第３のスイッチング素子および前記第４のスイッチング素子から構成される第２のスイッチング素子群と、前記第５のスイッチング素子および前記第６のスイッチング素子から構成される第３のスイッチング素子群と、前記第１のスイッチング素子群および前記第２のスイッチング素子群、前記第３のスイッチング素子群から構成されるインバータ部と、前記被加熱物検知センサから発信される信号を受信し、前記第１のスイッチング素子および前記第２のスイッチング素子、前記第３のスイッチング素子、前記第４のスイッチング素子、前記第５のスイッチング素子、前記第６のスイッチング素子のオン／オフを制御する制御手段を備え、前記制御手段により特定の個数の加熱コイルに同時に高周波電流を供給し、あらゆる大きさの被加熱物を加熱するとしたものである。
【００１５】
これによって、１個のインバータ部に対して、３個の加熱コイルが接続され、被加熱物検知センサからの信号を制御手段が受信し、制御手段が１個のインバータ部のオン／オフを制御することにより、３個または２個もしくは１個の加熱コイルに供給される高周波電流を制御することが可能となり、あらゆる大きさの鍋を効率的に加熱することが可能である。また、３個の加熱コイルに高周波電流を供給する場合、被加熱物に供給する高周波磁束方向を回転させることができるため、大きな径を有する被加熱物を均一に加熱することができる。
【００１６】
さらに、３個の加熱コイルに接続される１個のインバータ部を制御手段により制御することにより、誘導加熱装置の小型化が可能である。
【００１７】
第２の発明は、特に、第１の発明の制御手段は、第１のスイッチング素子群および第２のスイッチング素子群、第３のスイッチング素子群をそれぞれ位相差１２０度ごとに駆動させ、第１の加熱コイルおよび第２の加熱コイル、第３の加熱コイルに供給される高周波電流がそれぞれ１２０度の位相差を有することにより、加熱コイルから被加熱物に供給される高周波磁束方向を回転させるべく制御することにより、加熱コイルから被加熱物に供給される高周波磁束方向が回転し、あらゆる大きさの鍋を均一に加熱することができる。
【００１８】
第３の発明は、特に、第１または第２の発明の制御手段は、第１の加熱コイルおよび第２の加熱コイル、第３の加熱コイルのそれぞれの中心点に配置された被加熱物検知センサにより、加熱コイル上面に置かれる被加熱体物の大きさを判定することにより、加熱コイル上面に置かれる被加熱物の大きさを容易に判定することができる。
【００１９】
第４の発明は、特に、第１または第２の発明の制御手段は、被加熱物検知センサが判定する被加熱物の大きさに応じて、加熱領域を複数の発光体により表示させることにより、使用者が容易に加熱領域を把握することができる。
【００２０】
第５の発明は、特に、第１または第２の発明の制御手段は、被加熱物を検知した被加熱物検知センサが配置される加熱コイルのみに高周波電流を供給するべく第１のスイッチング素子および第２のスイッチング素子、第３のスイッチング素子、第４のスイッチング素子、第５のスイッチング素子、第６のスイッチング素子のオン／オフを制御することにより、被加熱物の大きさに応じてインバータ部を制御するので、インバータ部を効率的に動作させることが可能となる。
【００２１】
第６の発明は、特に、第１または第２の発明の制御手段は、第１のスイッチング素子および第２のスイッチング素子、第３のスイッチング素子、第４のスイッチング素子、第５のスイッチング素子、第６のスイッチング素子のオン／オフを一定周波数において制御することにより、互いに隣接する加熱コイル間の干渉音を防止したことにより、静音が要求される一般家庭やオフィス、レストランにおいて快適に使用することが可能となる。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における誘導加熱装置の要部概略回路図を示すものである。特に、複数個の加熱コイルに供給される高周波電流を制御することにより、あらゆる大きさの被加熱物を均一かつ効率的に加熱する誘導加熱装置の要部の概略回路図である。
【００２４】
図１において、商用電源１からの商用電圧を整流するダイオードブリッジからなる整流手段２の高電位出力側には第１の平滑コンデンサ３（電界コンデンサ）の高電位端子が接続され、第１の平滑コンデンサ３の低電位端子には仮想中性点０を介して第２の平滑コンデンサ４（電界コンデンサ）の高電位端子が接続され、整流手段２の低電位出力側には第２の平滑コンデンサ４の低電位端子が接続されている。
【００２５】
第１の平滑コンデンサ３の高電位端子には第１のスイッチング素子５の高電位端子（ＩＧＢＴの場合はコレクタ、ＭＯＳＦＥＴの場合はドレイン）および第３のスイッチング素子７の高電位端子、第５のスイッチング素子９の高電位端子がそれぞれ接続され、第１のスイッチング素子５の低電位端子（ＩＧＢＴの場合はエミッタ、ＭＯＳＦＥＴの場合はソース）および第３のスイッチング素子７の低電位端子、第５のスイッチング素子９の低電位端子には、第２のスイッチング素子６の高電位端子および第４のスイッチング素子８の高電位端子、第６のスイッチング素子１０の高電位端子がそれぞれ接続されている。
【００２６】
第１のスイッチング素子５および第２のスイッチング素子６、第３のスイッチング素子７、第４のスイッチング素子８、第５のスイッチング素子９、第６のスイッチング素子１０から構成されるインバータ部１４側から見て第１の平滑コンデンサ３および第２の平滑コンデンサ４はインバータ部１４電源の役割をなしている。
【００２７】
第２のスイッチング素子６の高電位端子および第４のスイッチング素子８の高電位端子、第６のスイッチング素子１０の高電位端子には第１の共振コンデンサ１６および第２の共振コンデンサ１７、第３の共振コンデンサ１８がそれぞれ接続され、第１の共振コンデンサ１６および第２の共振コンデンサ１７、第３の共振コンデンサ１８の他端には、第１
の加熱コイル１９および第２の加熱コイル２０、第３の加熱コイル２１がそれぞれ接続され、第１の加熱コイル１９および第２の加熱コイル２０、第３の加熱コイル２１は他端を互いに共有している。
【００２８】
第１の加熱コイル１９および第２の加熱コイル２０、第３の加熱コイル２１の中心点にはそれぞれ被加熱物検知センサが配置されている。
【００２９】
制御手段１５は、第１の被加熱物検知センサ２２および第２の被加熱物検知センサ２３、第３の被加熱物検知センサ２４から発信される信号を受信し、第１のスイッチング素子５および第２のスイッチング素子６、第３のスイッチング素子７、第４のスイッチング素子８、第５のスイッチング素子９、第６のスイッチング素子１０に駆動信号を出力している。
【００３０】
制御手段１５から出力される駆動信号は、第１の加熱コイル１９および第２の加熱コイル２０、第３の加熱コイル２１に所定の出力が得られるように設定されている。
【００３１】
また第１のスイッチング素子５および第２のスイッチング素子６、第３のスイッチング素子７、第４のスイッチング素子８、第５のスイッチング素子９、第６のスイッチング素子１０はそれぞれ逆導通ダイオードを内蔵している。
【００３２】
以上のように構成された誘導加熱装置について、以下その動作、作用を説明する。
【００３３】
まず、商用電源１が投入され、制御手段１５が第１の被加熱物検知センサ２２および第２の被加熱物検知センサ２３、第３の被加熱物検知センサ２４から発信される信号を受信すると、第１のスイッチング素子５および第２のスイッチング素子６、第３のスイッチング素子７、第４のスイッチング素子８、第５のスイッチング素子９、第６のスイッチング素子１０に駆動信号が出力され、第１の平滑コンデンサ３および第２の平滑コンデンサ４をインバータ部１４電源として、第１の加熱コイル１９および第２の加熱コイル２０、第３の加熱コイル２１に高周波電流が供給される。
【００３４】
第１のスイッチング素子群１１および第２のスイッチング素子群１２、第３のスイッチング素子群１３を互いに位相差１２０度ごとに駆動させることにより、第１の加熱コイル１９および第２の加熱コイル２０、第３の加熱コイル２１に供給される高周波電流は互いに位相差１２０度となり、加熱コイルから被加熱物に供給される高周波磁束を回転させることが可能となる。
【００３５】
図２は、本発明の第１の実施の形態における誘導加熱装置の加熱コイルの電流の波形図を示すものである。
【００３６】
図２の（ａ）第１の加熱コイル１９電流ｉｕ、（ｂ）第２の加熱コイル２０電流ｉｖ、（ｃ）第３の加熱コイル２１電流ｉｗに示すように、第１の加熱コイル１９および第２の加熱コイル２０、第３の加熱コイル２１に供給される高周波電流は互いに位相差１２０度となる。
【００３７】
図３は、本発明の第１の実施の形態における被加熱物の被加熱物の配置図を示しており、図３の（ａ）大径の被加熱物の配置例、（ｂ）中径の被加熱物の配置例、（ｃ）小径の被加熱物の配置例に示すように、大径から小径まであらゆる大きさの被加熱物を加熱することができる。
【００３８】
制御手段１５は、第１の加熱コイルおよび第２の加熱コイル、第３の加熱コイルのそれ
ぞれの中心点に配置された第１の被加熱物検知センサ２２、第２の被加熱物検知センサ２３、第３の被加熱物検知センサ２４により加熱コイル上面に置かれる被加熱体物の大きさを判定すると、１個のインバータ部１４のオン／オフを制御することにより、３個または２個もしくは１個の加熱コイルのみに高周波電流を供給するべく第１のスイッチング素子５および第２のスイッチング素子６、第３のスイッチング素子７、第４のスイッチング素子８、第５のスイッチング素子９、第６のスイッチング素子１０のオン／オフを制御する。
【００３９】
さらに、被加熱物の大きさに応じて、加熱領域を第１の発光体２８、第２の発光体２９、第３の発光体３０を表示させる。
【００４０】
図４は、本発明の第１の実施の形態における誘導加熱の発光体の配置図を示しており、複数の発光体（第１の発光体２８および第２の発光体２９、第３の発光体３０）により、あらゆる大きさの被加熱物の加熱領域を表示する。
【００４１】
また、制御手段は、第１のスイッチング素子および第２のスイッチング素子、第３のスイッチング素子、第４のスイッチング素子、第５のスイッチング素子、第６のスイッチング素子のオン／オフを一定周波数において制御することにより、互いに隣接する加熱コイル間の干渉音を防止する。
【００４２】
以上のように、本実施の形態においては、商用電源と、前記商用電源に接続された交流電圧を整流する整流手段と、前記整流手段の高電位側に一端を接続された第１の平滑コンデンサと、前記第１の平滑コンデンサの他端に一端を接続した第２の平滑コンデンサと、前記第１の平滑コンデンサの高電位端子に一端を接続された第１のスイッチング素子と、前記第１のスイッチング素子の他端に直列接続された第２のスイッチング素子と、前記第１のスイッチング素子の高電位端子に一端を接続された第３のスイッチング素子と、前記第３のスイッチング素子の他端に直列接続された第４のスイッチング素子と、前記第３のスイッチング素子の高電位端子に一端を接続された第５のスイッチング素子と、前記第５のスイッチング素子に直列接続された第６のスイッチング素子と、前記第２のスイッチング素子の高電位端子に一端を接続された第１の共振コンデンサと、前記第１の共振コンデンサの他端に直列接続された第１の加熱コイルと、前記第４のスイッチング素子の高電位端子に一端を接続された第２の共振コンデンサと、前記第２の共振コンデンサの他端に直列接続された第２の加熱コイルと、前記第６のスイッチング素子の高電位端子に一端を接続された第３の共振コンデンサと、前記第３の共振コンデンサの他端に直列接続された第３の加熱コイルと、前記第１の加熱コイルおよび前記第２の加熱コイル、前記第３の加熱コイルは互いに共有された他端を有し、３個の加熱コイルの中心点は前記共有された他端を中心とした同一の円周上に配置される構成を有し、前記第１の加熱コイルおよび前記第２の加熱コイル、前記第３の加熱コイルのそれぞれの中心点に配置された被加熱物検知センサと、前記第１のスイッチング素子および前記第２のスイッチング素子から構成される第１のスイッチング素子群と、前記第３のスイッチング素子および前記第４のスイッチング素子から構成される第２のスイッチング素子群と、前記第５のスイッチング素子および前記第６のスイッチング素子から構成される第３のスイッチング素子群と、前記第１のスイッチング素子群および前記第２のスイッチング素子群、前記第３のスイッチング素子群から構成されるインバータ部と、前記被加熱物検知センサから発信される信号を受信し、前記第１のスイッチング素子および前記第２のスイッチング素子、前記第３のスイッチング素子、前記第４のスイッチング素子、前記第５のスイッチング素子、前記第６のスイッチング素子のオン／オフを制御する制御手段を備え、前記制御手段により特定の個数の加熱コイルに同時に高周波電流を供給し、あらゆる大きさの被加熱物を加熱するとしたものである。
【００４３】
これによって、１個のインバータ部に対して、３個の加熱コイルが接続され、被加熱物検知センサからの信号を制御手段が受信し、制御手段が１個のインバータ部のオン／オフを制御することにより、３個または２個もしくは１個の加熱コイルに供給される高周波電流を制御することが可能となり、あらゆる大きさの鍋を効率的に加熱することができる。
【産業上の利用可能性】
【００４４】
以上のように、本発明にかかる誘導加熱装置は、１個のインバータ部に対して、３個の加熱コイルが接続される構成を有するため、インバータ部を制御することにより、被加熱物に供給される高周波磁束方向を回転させることができ、被加熱物の均一な加熱が可能となり、また、被加熱物検知センサからの信号を制御手段が受信し、制御手段が１個のインバータ部のオン／オフを制御することにより、３個または２個もしくは１個の加熱コイルに供給される高周波電流を制御することが可能であるため、あらゆる大きさの被加熱物に対応する誘導加熱装置に有効である。
【符号の説明】
【００４５】
１  商用電源
２  整流手段
３  第１の平滑コンデンサ
４  第２の平滑コンデンサ
５  第１のスイッチング素子
６  第２のスイッチング素子
７  第３のスイッチング素子
８  第４のスイッチング素子
９  第５のスイッチング素子
１０  第６のスイッチング素子
１１  第１のスイッチング素子群
１２  第２のスイッチング素子群
１３  第３のスイッチング素子群
１４  インバータ部
１５  制御手段
１６  第１の共振コンデンサ
１７  第２の共振コンデンサ
１８  第３の共振コンデンサ
１９  第１の加熱コイル
２０  第２の加熱コイル
２１  第３の加熱コイル
２２  第１の被加熱物検知センサ
２３  第２の被加熱物検知センサ
２４  第３の被加熱物検知センサ
【図２】
2010251093.tif 000003
【図３】
2010251093.tif 000004
【図１】
2010251093.tif 000005
【図４】
2010251093.tif 000006
【図５】
2010251093.tif 000007